(57)【要約】【課題】２つの決済部を有する決済装置において、一方の決済部が外的要因などによって破壊や故障状態になって使用不可状態になると、同一筐体に構成される他方の決済部も使用できなくなる。【解決手段】決済部２２と決済部２３とから成る決済装置２１であって、決済部２２は、アンテナ部２６と、このアンテナ部２６に接続された制御部２５とから成り、決済部２３は、紙幣４が挿入される挿入口４２と、この挿入口４２に連結された通路４３と、この通路４３上に設けられた搬送手段４４と、通路４３の壁面に設けられた識別センサ４５と、この識別センサ４５の出力が接続された識別部４６と、通路４３の終端に連結された紙幣４の収納部４８とを備え、決済部２２の背面２２ａ側に決済部２３が着脱自在に装着されるとともに、夫々の取り付け寸法を同一とした取り付け部２２ｂ、２３ｂを有するものである。これにより、所期の目的を達成することができる。【選択図】図１
2007323258.tif 000002
【特許請求の範囲】
【請求項１】
第１の決済部と第２の決済部とから成る決済装置であって、前記第１の決済部は、アンテナ部と、このアンテナ部に接続された制御部とから成り、前記第２の決済部は、紙幣が挿入される挿入口と、この挿入口に連結された第１の通路と、この第１の通路上に設けられた搬送手段と、前記第１の通路の壁面に設けられた識別センサと、この識別センサの出力が接続された識別部と、前記第１の通路の終端に連結された第１の収納部とを備え、前記第１の決済部の背面側に前記第２の決済部が着脱自在に装着されるとともに、夫々の取り付け寸法を同一とした取り付け部を有する決済装置。
【請求項２】
第１の決済部の背面側は剛体壁で形成された請求項１に記載の決済装置。
【請求項３】
第１の決済部に設けられた第１の取り付け部には、第２の決済部に設けられた第２の取り付け部に当接する凸部が設けられた請求項１に記載の決済装置。
【請求項４】
アンテナ部の背面に電波反射材を装着した請求項１に記載の決済装置。
【請求項５】
電波反射材の背面には、アンテナ部から導出されるとともに制御部と接続されるケーブルを収納する第２の収納部が設けられた請求項４に記載の決済装置。
【請求項６】
アンテナ部を形成するアンテナとケーブルはコンデンサを介して接続された請求項５に記載の決済装置。
【請求項７】
アンテナ部の下方に第２の決済部の挿入口へ連結する第２の通路が設けられた請求項１に記載の決済装置。
【請求項８】
第２の通路の入口に蓋が設けられた請求項７に記載の決済装置。
【請求項９】
第１の決済部の背面側は第２の決済部の前面側に嵌合する請求項１に記載の決済装置。
【請求項１０】
アンテナ部が収納された第１の決済部のかざし部と、挿入口が設けられた第２の決済部のフロント部とは、同一寸法の開口へ嵌入可能に設けられた請求項１に記載の決済装置。
【請求項１１】
かざし部は傾斜して設けられた請求項１０に記載の決済装置。
【発明の詳細な説明】
【技術分野】
【０００１】
本発明は、自動販売機等に搭載される決済装置に関するものである。
【背景技術】
【０００２】
以下、従来の決済装置について説明する。従来の決済装置１は、図５、図６に示すような構成と成っている。この決済装置１は、電子マネーで決済する第１の決済部と、紙幣の識別をする第２の決済部とが一体化されている。
【０００３】
図５において、２は、決済装置１の本体部であり、この本体部２の前面にはフロント部３が装着されている。このフロント部３には、紙幣４が挿入される紙幣４の挿入口５と、非接触ＩＣカード６をかざすかざし部７が設けられている。
【０００４】
図６は、決済装置１の断面図である。第１の決済部は主にフロント部３内に収納されている。即ち、フロント部３を形成するかざし部７内に設けられたアンテナ部８とこのアンテナ部８に接続されたリードライト部９とで構成されている。
【０００５】
また、第２の決済部は、フロント部３に設けられた紙幣４の挿入口５と、この挿入口５に連結された紙幣４の通路１２と、この通路１２上に設けられた搬送手段（図示せず）と、通路１２の壁面に設けられた識別センサ１３と、この識別センサ１３の出力が接続された識別部１４と、通路１２の終端に連結された紙幣４の収納部１５とで構成されている。また、１６は制御部であり、この制御部１６で第１の決済部と第２の決済部の両方の制御をしている。
【０００６】
以上のように構成された決済装置１について、以下にその動作を説明する。この決済装置１は、自動販売機等に搭載されるものであり、第１の決済部によるＩＣカード６を用いての商品の購入と、第２の決済部による紙幣４を用いての商品の購入との双方の決済を任意に選択することができるものである。
【０００７】
第１の決済部を用いる場合には、ＩＣカード６をかざし部７に近づける。そうすると、リードライト部９の指示に従って、ＩＣカード６とアンテナ部８とが電磁誘導結合するとともに通信して決済する。即ち、自動販売機から決済された金額の物品を購入することができる。
【０００８】
第２の決済部を用いる場合には、紙幣４を挿入口５に挿入する。そうすると、この紙幣４が挿入口５に連結された通路１２を搬送される途中で、識別センサ１３で検知され、識別部１４で紙幣４の真偽と金種が識別される。挿入された紙幣４が真券と識別された場合は収納部１５に収納される。そして、自動販売機から識別された金額に応じた商品を購入することができる。また、挿入された紙幣が偽券の場合は挿入口５から返却される。
【０００９】
このように、この決済装置１では、ＩＣカード６を用いて決済をすることもできるし、紙幣４を用いて決済をすることもできる。
【００１０】
なお、この出願の発明に関連する先行技術文献情報としては、例えば、特許文献１が知られている。
【特許文献１】特開２０００−３０１１６号公報
【発明の開示】
【発明が解決しようとする課題】
【００１１】
しかしながらこのような従来の決済装置１では、第１の決済部と第２の決済部とが同一筐体内に不可分に構成されていたため、どちらか一方の決済部が故障したり、外的要因で破壊されて使用できない状況においては、他の決済部も使用不能となり、決済装置１全体が使用できないことになり、共に交換するか或いは修理しなければ使用することができなかった。即ち、この交換の間又は修理の間、販売の機会を失うことになるという問題があった。
【００１２】
そこで本発明は、この問題を解決したもので、２つの決済部の内、何れか一方の決済部であっても独立に使用することができる決済装置を提供することを目的としたものである。
【課題を解決するための手段】
【００１３】
この目的を達成するために本発明の決済装置は、第１の決済部の背面側に第２の決済部が着脱自在に装着されるとともに、夫々の取り付け寸法を同一とした取り付け部を有するものである。これにより、所期の目的を達成することができる。
【発明の効果】
【００１４】
本発明は、第１の決済部の背面に第２の決済部が着脱自在に装着されるとともに、夫々の取り付け寸法を同一とした取り付け部を有するものであり、例え、一方の決済部が使用できない状況になったとしても、使用不能の一方の決済部を取り外して、他方の決済部のみを用いて決済をすることができる。従って、販売の機会を逃すことはない。
【００１５】
また、他方の決済部が復帰した場合は、容易に一方の決済部と合体させて復旧させることができる。
【００１６】
さらに、設置箇所の事情により一方の決済部が不要な場合にも、自由に取り外して無駄な費用を発生させることがない。
【発明を実施するための最良の形態】
【００１７】
以下、本発明の実施の形態を図面に基づいて説明する。
【００１８】
（実施の形態１）
図１は本発明の実施の形態１における決済装置２１の断面図である。本実施の形態における決済装置２１は、非接触ＩＣカード６を用いて決済ができる第１の決済部２２と、紙幣を用いて決済ができる第２の決済部２３とが独立に設けられるとともに着脱自在に装着できる構成となっている。
【００１９】
即ち、決済部２２の背面２２ａと、決済部２３の前面２３ａとは嵌合するように形成されている。従って、決済部２２と決済部２３とは着脱自在に嵌合させることができる。また、決済部２２に形成された取り付け部２２ｂには取り付け孔２２ｃ（図示せず）が形成されている。また、決済部２３に形成された取り付け部２３ｂにも取り付け孔２２ｃと同一取り付け寸法を有する取り付け孔２３ｃ（図示せず）が重合されるように形成されている。
【００２０】
このように決済部２２と決済部２３とは、同一取り付け寸法を有する取り付け部２２ｂ、２３ｂを有している。また、取り付け部２２ｂ、２３ｂには、同一取り付け寸法の取り付け孔２２ｃ、２３ｃが設けられており、この取り付け孔２２ｃ、２３ｃを用いて、決済部２２と決済部２３とを連結して自動販売機等に取り付けることができる。この取り付けは、長ネジを用いて共締めすることにより自動販売機に取り付けている。
【００２１】
また、決済部２２或いは決済部２３単独でも自動販売機等の同じ取り付け場所に取付けることができる。従って、例え何らかの事情（故障、規格変更等）で一方の決済部が使用できない事態が発生したとしても、他方の決済部のみで独立して使用することができる。従って、販売の機会を逃すことはない。
【００２２】
図４は決済部２２と決済部２３を分離した状態を示す斜視図であり、独立して使用する場合の外観形状が相似していることが判る。
【００２３】
図１にて決済部２２は、かざし部２４と、制御部２５とで構成されている。かざし部２４内には、樹脂で形成されたかざし面２４ａに沿ってアンテナ部２６とフェライトで形成された電波反射材２７が装着されている。従って、かざし面２４ａにかざされた非接触ＩＣカード６とアンテナ部２６とは、電波反射材２７の作用により効率よく通信することができる。
【００２４】
また、このアンテナ部２６と電波反射材２７は略密着して平行に設けられている。かざし面２４ａとアンテナ部２６と電波反射材２７とは、水平面に対して約７０度の角度に傾斜して取り付けられている。従って、ＩＣカード６をかざすのに丁度良い角度となっている。このかざし面２４ａには、ＩＣカード６を保持する保持部を形成しておくことが好ましい。
【００２５】
電波反射材２７の背面には、アンテナ部２６から導出されるケーブル２９の収納が可能な収納部２８が設けられている。アンテナ部２６に接続されたケーブル２９は、かざし部２４の下方に設けられた制御部２５に接続されている。この接続はコネクタ２９ａで接続される。従って、かざし部２４と制御部２５とを分離する場合に、コネクタ２９ａを外して、ケーブル２９を収納部２８に収納することができる。制御部２５は防水、防塵のための制御部カバー５１で覆われている。
【００２６】
図２は、アンテナ部２６の平面図であり、回路基板３１上にはパターンで形成されたアンテナ３２が渦巻き状に形成されている。このアンテナ３２の両端はコンデンサ３３ａ、３３ｂを介してケーブル２９に接続されている。このアンテナ３２に近接してＩＣカード６がかざされる。
【００２７】
図３は、決済部２２の電気回路のブロック図である。図３において、アンテナ部２６は、ケーブル２９で制御部２５と接続されている。制御部２５内には、アンテナ部２６に接続される高周波変調・復調部３４と、この高周波変調・復調部３４に接続された制御回路３５が格納されており、この制御部３５は自動販売機３６等の外部機器の制御部に接続されている。
【００２８】
以上のように構成された決済部２２において、ＩＣカード６がアンテナ部２６に翳されると、ＩＣカード６は１３．５６ＭＨｚの電波でアンテナ３２と通信される。そして、高周波変調・復調部３４で復調されて、制御回路３５を介して自動販売機３６の制御部に伝達される。自動販売機３６では、高周波変調・復調部３４から出力された情報に基づいて決済され、その決済内容は、制御回路３５を介して高周波変調・復調部３４で変調される。そしてアンテナ部２６からＩＣカード６に伝達される。このようにして決済が完了する。
【００２９】
次に、他方の決済部２３について述べる。図１において、決済部２３の前面２３ａの上方には、かざし部２４に対応して、このかざし部２４の縦・横寸法と同じ寸法を有するフロント部４１が形成されている。このフロント部４１の下方には、紙幣４が挿入される挿入口４２が設けられており、この挿入口４２に連結して紙幣４の通路４３が設けられている。この通路４３は、挿入口４２から一旦上方に曲がり、続いて下方に折れ曲がっている。即ち、逆「Ｕ」字状に形成されている。なお、この通路４３にはベルトとプーリとローラで形成された搬送手段４４が設けられている。
【００３０】
通路４３の前記逆「Ｕ」字状の頂点を過ぎた位置の壁面には、識別センサ４５ａ、４５ｂが通路４３を挟んで設けられている。これは、挿入口４２からの悪戯を防止するためである。この識別センサ４５ａ、４５ｂの出力は識別部４６に接続されており、この識別部４６は制御部４７に接続されている。
【００３１】
通路４３の終端には紙幣４の収納部４８が連結しており、ここに紙幣４が積層収納される。また、この収納部４８は背面に開閉自在の蓋４８ａが設けられている。蓋４８ａには鍵をかけることができ、許可された者以外は開けることができないようになっている。
【００３２】
また、かざし部２４の下方に挿入口４２に連結する通路４９が設けられている。この通路４９の入口（挿入口４２の反対側）には、蓋５０が回動自在に設けられている。この蓋５０は、かざし部２４の一番突出した頂部より蓋５０自身の厚さ程度引き込んだ位置にあり、雨等が通路４９に入らないようにしている。この通路４９は、奥側（挿入口４２側）を少し上方に傾斜させておくと良い。また、この通路４９は、搬送手段を持たないので、通路長は紙幣４の長さ寸法より短くしておく必要がある。本実施の形態では、通路長を紙幣４の長さ寸法の約４分の１にしている。
【００３３】
以上のように構成された決済部２３について、以下にその動作を説明する。先ず、蓋５０を開けて紙幣４を通路４９に挿入する。通路４９に挿入された紙幣４は挿入口４２に達し、この挿入口４２を介して通路４３に導かれる。通路４３に導かれた紙幣４は搬送手段４４で搬送される。
【００３４】
この搬送の途中、紙幣４は識別センサ４５（識別センサ４５ａ、４５ｂとで形成されている）で検知され、その信号は識別部４６で紙幣４の真偽と金種が識別される。真券の場合にはその金種信号は制御部４７を介して自動販売機３６の制御部へ向かって出力される。そして、真券と判断された紙幣４は収納部４８に積層収納される。一方、識別部４６で偽券と判断された場合は、搬送手段４４が逆方向に搬送して挿入口４２へ返却する。
【００３５】
本実施の形態における決済部２３は、現金を扱うものであり、この現金の収納部４８には紙幣４が積層収納されている。従って、何らかの原因で、決済装置１の前面が破壊されても、直接紙幣４が盗難にあうことがないように配慮することが重要である。そのために本実施の形態において、決済部２２の筐体主要部（かざし部２４および制御部２５周囲を除く）は、鉄（剛体の一例として用いた）で形成されている。少なくとも背面２２ａは、強固剛体で形成しておくことが重要である。
【００３６】
以上説明したように、本実施の形態における決済装置２１は、決済部２２と決済部２３とが着脱自在に形成されているとともに、夫々の取り付け部２２ｂ、２３ｂの取り付け寸法を同じにしているので、例え、一方の決済部が使用不能になったとしても、他方の決済部のみで使用することができる。従って、自動販売機等に搭載した場合、販売の機会を逸することはない。また、かざし部２４の自動販売機３６への取り付け寸法と、フロント部４１の取り付け寸法とは同一であるので、自動販売機３６への取り付けを改造することなく、どちらでも取り付けることができる。
【００３７】
また、決済部２２の背面２２ａの材質は、鉄で形成されているので、例え、決済部２２が破壊されたとしても、紙幣４の盗難は免れることができる。
【００３８】
また、アンテナ部２６の背面に電波反射材２７を装着しているので、電波が鉄板等で吸収されることはなく、ＩＣカード６と効率よく通信することができる。更に、電波反射材２７の背面は、アンテナ部２６から導出されるとともに制御部２５と接続されるケーブル２９を収納する収納部２８が設けられている。従って、決済部２２を単独で管理する場合に都合が良い。
【００３９】
アンテナ３２とケーブル２９はコンデンサ３３ａ、３３ｂを介して接続しているので、アンテナ３２はケーブル２９の影響を受け難い。
【００４０】
かざし部２４の下方に、決済部２３の挿入口４２へ連結する通路４９が設けられているので、かざし部２４を有する前面から紙幣４を挿入することができる。即ち、決済部２２、決済部２３共にかざし部２４、或いはその近傍で決済することができる。
【００４１】
また、この通路４９の入口に蓋５０が設けられているので、雨水等の通路４９への浸入を防止することができる。
【００４２】
また、かざし部２４の前面に形成されたかざし面に表示部を設けて、決済内容を表示するようにすることもできる。
【産業上の利用可能性】
【００４３】
本発明の決済装置は、２個の決済部を有しており、例え一方の決済部が使用できなくとも、他方の決済部を使用することができるので、販売等に機会を逸することはない。従って、自動販売機等を無人環境下で使用する用途に適している。
【図面の簡単な説明】
【００４４】
【図１】本発明の実施の形態１における決済装置の断面図
【図２】同、第１の決済部を形成するアンテナ部の平面図
【図３】同、第１の決済部とその周辺のブロック図
【図４】同、第１の決済部と第２の決済部を分離した状態を示す斜視図
【図５】従来の決済装置の斜視図
【図６】同、断面図
【符号の説明】
【００４５】
４  紙幣
６  ＩＣカード
２１  決済装置
２２  決済部
２２ａ  背面
２２ｂ  取り付け部
２３  決済部
２３ｂ  取り付け部
２４  かざし部
２５  制御部
２６  アンテナ部
４１  フロント部
４２  挿入口
４３  通路
４４  搬送手段
４５  識別センサ
４６  識別部
４８  収納部
【図１】
2007323258.tif 000003
【図２】
2007323258.tif 000004
【図３】
2007323258.tif 000005
【図４】
2007323258.tif 000006
【図５】
2007323258.tif 000007
【図６】
2007323258.tif 000008